(57)【要約】【課題】登録装置の画面に対する操作として行われる精算装置指定操作についての操作性の向上が図られるようにする。【解決手段】客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置であって、所定の操作が行われたことに応じて、精算処理を実行させる精算装置を指定する第１画像操作子より大きいサイズであって、精算処理を実行させる精算装置を指定する第２画像操作子を表示させる制御部を備えて登録装置を構成する。【選択図】図７
2020035076.tif 000002
【特許請求の範囲】
【請求項１】
客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置であって、
所定の操作が行われたことに応じて、前記精算処理を実行させる精算装置を指定する第１画像操作子より大きいサイズであって、前記精算処理を実行させる精算装置を指定する第２画像操作子を表示させる制御部
を備える登録装置。
【請求項２】
前記制御部は、
前記第２画像操作子の表示を指示する操作が行われる操作子が操作されたことに応じて、前記第２画像操作子を表示させる
請求項１に記載の登録装置。
【請求項３】
前記制御部は、
一取引に対応する商品登録処理の完了の宣言に対応する操作が行われたことに応じて、前記第２画像操作子を表示させる
請求項１または２に記載の登録装置。
【請求項４】
前記制御部は、
登録装置にて決済処理が可能な決済種別ごとに対応して決済処理の実行を指示する操作が行われる第３画像操作子を前記第２画像操作子とともに表示させる
請求項１から３のいずれか一項に記載の登録装置。
【請求項５】
前記制御部は、
表示された第２画像操作子を消去させるべきトリガが発生したことに応じて、前記第２画像操作子の表示を消去し、
前記トリガのうちの所定のトリガの発生に応じて、前記第２画像操作子が表示される前の状態を表示させる処理と異なる所定の他の処理に遷移させる処理手段をさらに備える
請求項１から４のいずれか一項に記載の登録装置。
【請求項６】
前記制御部は、操作画面が提供する機能が変更可能な操作画面領域と異なる領域に配置され、前記操作画面領域における操作画面の機能の変更にかかわらず、提供する機能が変更されない共通領域に前記第１画像操作子を表示させる
請求項１から５のいずれか一項に記載の登録装置。
【請求項７】
客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置としてのコンピュータを、
所定の操作が行われたことに応じて、前記精算処理を実行させる精算装置を指定する第１画像操作子より大きいサイズであって、前記精算処理を実行させる精算装置を指定する第２画像操作子を表示させる制御部
として機能させるためのプログラム。
【発明の詳細な説明】
【技術分野】
【０００１】
本発明は、登録装置及びプログラムに関する。
【背景技術】
【０００２】
店員が行う商品登録の操作に応じて商品登録処理を実行する登録装置と、客の操作に応じて登録装置にて実行された商品登録処理に応じた精算処理を実行する精算装置とをそれぞれ個別に備えたＰＯＳシステム（商品販売データ処理システム）が知られている。このようなＰＯＳシステムの登録装置において、商品登録処理に対応する精算処理を実行させる精算装置を指定する操作が行われる精算装置指定ボタンを表示させる技術が知られている（例えば、特許文献１参照）。
【先行技術文献】
【特許文献】
【０００３】
【特許文献１】特開２０１８−６０４１０号公報
【発明の概要】
【発明が解決しようとする課題】
【０００４】
上記のように登録装置の画面に対して行われる精算装置指定操作は、例えば一取引に応じた商品登録処理が完了するごとに行われるものであり、登録装置に対する操作のうちでも比較的頻度が高い操作となる。このために、登録装置の画面に対して行われる精算装置指定操作としては、例えば視認性が高いことも含め、操作性のよいことが求められる。
【０００５】
本発明は、このような事情に鑑みてなされたもので、登録装置の画面に対する操作として行われる精算装置指定操作についての操作性の向上が図られるようにすることを目的とする。
【課題を解決するための手段】
【０００６】
上述した課題を解決するための本発明の一態様は、客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置であって、所定の操作が行われたことに応じて、前記精算処理を実行させる精算装置を指定する第１画像操作子より大きいサイズであって、前記精算処理を実行させる精算装置を指定する第２画像操作子を表示させる制御部を備える登録装置である。
【０００７】
また、本実施形態の一態様は、客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置としてのコンピュータを所定の操作が行われたことに応じて、前記精算処理を実行させる精算装置を指定する第１画像操作子より大きいサイズであって、前記精算処理を実行させる精算装置を指定する第２画像操作子を表示させる制御部として機能させるためのプログラムである。
【発明の効果】
【０００８】
本発明によれば、登録装置の画面に対する操作として行われる精算装置指定操作についての操作性の向上が図られるようになるという効果が得られる。
【図面の簡単な説明】
【０００９】
【図１】第１実施形態におけるＰＯＳシステムの構成例を示す図である。
【図２】第１実施形態における登録装置と精算装置の外観例を示す図である。
【図３】第１実施形態における登録装置の構成例を示す図である。
【図４】第１実施形態における精算装置の構成例を示す図である。
【図５】第１実施形態における商品登録画面の一例を示す図である。
【図６】第１実施形態における小計画面の一例を示す図である。
【図７】第１実施形態における精算指定拡大画面の一例を示す図である。
【図８】第１実施形態における登録装置が実行する処理手順例を示すフローチャートである。
【図９】第２実施形態における精算指定拡大画面の一例を示す図である。
【図１０】第３実施形態における精算指定拡大画面の一例を示す図である。
【図１１】本実施形態の第２変形例における精算指定拡大画面の一例を示す図である。
【発明を実施するための形態】
【００１０】
以下、本発明の実施形態について図面を参照して説明する。
＜第１実施形態＞
図１は、本実施形態に係るＰＯＳシステム１の構成例を示している。同図に示すＰＯＳシステム１は、管理装置１０と、２台の登録装置２０−１、２０−２と、３台の精算装置３０−１、３０−２、３０−３とを備える。
なお、以降の説明にあたり、登録装置２０−１、２０−２について特に区別しない場合には、登録装置２０と記載する。また、精算装置３０−１、３０−２、３０−３について特に区別しない場合には、精算装置３０と記載する。
管理装置１０と登録装置２０と精算装置３０とは、有線または無線接続のＬＡＮ（Local Area Network）１１で相互に接続されている。
【００１１】
なお、同図に示したＰＯＳシステム１の構成は一例である。例えば、ＰＯＳシステム１において、登録装置２０と精算装置３０との設置数は特に限定されるものではなく、それぞれ１台以上であればよい。また、本実施形態のＰＯＳシステム１は、管理装置１０を含まない構成としてもよい。
なお、ＰＯＳシステム１の構成として、管理装置１０を含まない構成とする場合には、他の装置（例えば、複数の登録装置２０のうち代表となる１台の登録装置２０）に、管理装置１０としての機能を兼用させてもよい。
【００１２】
管理装置１０は、ＰＯＳシステム１を管理する情報処理装置であり、ＰＯＳシステム１において登録装置２０や精算装置３０などを管理し、商品マスタなどの種々の情報を管理する。管理装置１０は、登録装置２０及び各精算装置３０に、最新の商品マスタを適宜送信する。商品マスタとは、各商品の商品識別情報（例えば、ＪＡＮコード）、商品名（品名、アイテム名）、販売価格、値引き情報などの商品情報を格納したファイルである。
管理装置１０は、最新の商品情報が反映された商品マスタを、外部（例えば、本部のサーバ、リムーバブル形式の記憶媒体）から取得し、登録装置２０及び各精算装置３０に適宜送信する。
【００１３】
登録装置２０は、購入対象の商品を登録する商品登録処理を実行する。商品を登録する操作（商品登録操作）は、例えば、スキャナを用いて商品に付されているバーコードを読み取らせる操作、あるいは商品登録画面に表示されたプリセットボタン等に対する操作等として行われる。このような商品登録操作によって、登録装置２０には例えば商品識別情報が入力され、登録装置２０は、入力された商品識別情報に対応する商品情報を取得する。
また、登録装置２０は、一取引ごとに対応して登録された商品の精算に用いられる情報（以下、精算情報という）を生成し、記憶する。
【００１４】
精算情報は、対応の取引を識別する取引識別情報、当該精算情報を識別する精算情報識別情報、登録日時、登録された各商品の商品識別情報、登録された各商品の商品名、販売価格、値引き情報、購入対象の商品の品数を示す取引点数（購入点数）、購入対象の商品の総額（合計金額）を含んでよい。また、精算情報は、当該精算情報を生成した登録装置２０（すなわち、当該精算情報に係る商品を登録した登録装置２０）を識別するための登録装置識別情報をさらに含んでもよい。このように、精算情報は、一取引に応じた商品登録処理結果が反映された内容を有する。
【００１５】
精算情報は、精算装置３０において精算処理に用いられる。精算処理とは、登録された商品の代金を、現金、電子マネー、クレジットカードなどを選択的に用いて支払い、決済する処理である。
【００１６】
本実施の形態では、複数の精算装置３０が設置され、複数のうちのいずれか１台が、登録装置２０において生成された精算情報を用いて精算処理を実行する。複数の精算装置３０のうちから、精算処理を実行させるべき精算装置３０を指定する態様としては、下記の第１の指定態様と第２の指定態様が挙げられる。
【００１７】
第１の指定態様は、精算処理を実行させる精算装置３０を、店員が登録装置２０にて指定する態様である。
すなわち、店員が、精算装置３０を指定する操作を登録装置２０に対して行うことによって、複数の精算装置３０のうちから精算処理を実行させる精算装置３０を指定する。
なお、登録装置２０において、各精算装置３０の稼働状況を示した稼働情報を表示するようにし、登録装置２０において、店員が精算装置３０を指定する際に、各精算装置３０の稼働状況を確認できるようにしてもよい。
【００１８】
店員が精算装置３０を指定した場合には、ＬＡＮ１１を介して、登録装置２０において生成された精算情報が、指定された精算装置３０に送信される。すなわち、登録装置２０は、商品登録処理に続いて精算装置３０が指定された場合には、指定された精算装置３０に対し、当該商品登録処理の結果が反映された精算情報を送信する。
なお、本実施の形態では、登録装置２０は、直接、精算装置３０に精算情報を送信するが、管理装置１０を経由して、精算装置３０に精算情報を送信してもよい。
【００１９】
また、第２の指定態様は、精算処理用の媒体（お会計券（登録商標））を登録装置２０から発行させ、店員から手渡しされたお会計券を、客が１つの精算装置３０に読み取らせる態様である。
すなわち、客が、店員から手渡しされたお会計券を精算装置３０に読み取らせることによって、複数の精算装置３０のうちから精算処理を実行させる精算装置３０を指定する。
お会計券には、発行元の登録装置２０を示す登録装置識別情報と精算情報とが、バーコード（一次元コード）または２次元コードのいずれかのコードの形式で印字（印刷）されている。精算装置３０は、お会計券のコードを読み取ると、読み取ったコードにより示される精算情報を取得する。
【００２０】
精算装置３０は、客の操作に応じて精算処理を実行する。また、精算装置３０は、精算処理を終了した場合には、登録装置２０に精算処理の終了を通知する。
【００２１】
次に、図２〜図４を参照して、登録装置２０及び精算装置３０の構成例について説明する。
図２は、登録装置２０と精算装置３０との外観例を示す斜視図である。図３は、登録装置２０の構成例を示すブロック図である。図４は、精算装置３０の構成例を示すブロック図である。
【００２２】
登録装置２０は、図３に示すように、ＣＰＵ（Central Processing Unit）２０１と、記憶部２０２と、ＲＡＭ（Random Access Memory）２０３と、スキャナ部２０４と、店員用表示部２０５と、客用表示部２０５ａと、操作部２０６と、通信部２０７と、ブザー２０８と、印刷部２０９と、カードリーダ２１０を備える。これらは、バスを介して相互に通信可能である。
【００２３】
ＣＰＵ２０１は、中央演算処理装置であり、記憶部２０２に記憶されているプログラムを読み出して実行することにより、登録装置２０の動作を制御する。
記憶部２０２は、ＣＰＵ２０１の補助記憶装置であって、プログラムをはじめとしてＣＰＵ２０１が利用する各種の情報を記憶する。
【００２４】
ＲＡＭ２０３は、ＣＰＵ２０１の主記憶装置であって、種々の情報を記憶する。例えば、ＲＡＭ２０３は、管理装置１０から取得した商品マスタや、商品登録処理後に生成された精算情報などを記憶する。
スキャナ部２０４は、商品に付されているバーコード（商品コード）を光学的に読み取る。
【００２５】
店員用表示部２０５は、タッチパネル（例えば、液晶タッチパネル）であり、店員用の種々の情報を表示する。
例えば、店員用表示部２０５は、商品情報（商品コード等）に関連付けられているプリセットボタンを配置した商品登録画面などを表示する。
【００２６】
客用表示部２０５ａは、客用の種々の情報を表示する。例えば、客用表示部２０５ａは、登録した商品の価格等を表示する。客用表示部２０５ａは、タッチパネル（例えば、液晶タッチパネル）であってもよい。
【００２７】
操作部２０６は、登録装置２０を動作させるための各種の操作ボタン（小計キー、現計キー、置数キー、訂正キー、及びプリセットキー等）を備える。例えば、操作部２０６は、操作ボタン（プリセットキー）が操作されることにより、そのプリセットキーに予め設定登録されている商品情報（商品コード等）について、操作入力を受け付ける。
【００２８】
通信部２０７は、ＬＡＮ１１を介して、他の装置と通信する。
ブザー２０８は、店員が操作を確認することが必要な場合などに、ブザー音を発生させる。
印刷部２０９は、必要に応じて媒体を印刷して発行する。例えば、印刷部２０９は、お会計券を印刷して発行することができる。
【００２９】
カードリーダ２１０は、例えばＩＣ（Integra Circuit）カード形式のＲＦＩＤ（Radio Frequency Identifier）タグに対する情報の読み出しを行うデバイスである。
【００３０】
図２においては、スキャナ部２０４、店員用表示部２０５、操作部２０６、印刷部２０９及びカードリーダ２１０を含む登録装置２０の外観例が示される。
【００３１】
精算装置３０は、図４に示すように、ＣＰＵ３０１と、記憶部３０２と、ＲＡＭ３０３と、スキャナ部３０４と、表示部３０５と、操作部３０６と、通信部３０７と、ブザー３０８と、印刷部３０９と、決済部３１０と、サインポール３１１と、人感知センサ３１２と、カードリーダ３１３とを備える。これらは、バスを介して相互に通信可能である。
【００３２】
ＣＰＵ３０１は、中央演算処理装置であり、記憶部３０２に記憶されているプログラムを読み出して実行することにより、精算装置３０の動作を制御する。
記憶部３０２は、ＣＰＵ３０１の補助記憶装置であって、プログラムをはじめとしてＣＰＵ３０１が利用する各種の情報を記憶する。
【００３３】
ＲＡＭ３０３は、ＣＰＵ３０１の主記憶装置であって、種々の情報を記憶する。例えば、ＲＡＭ３０３は、管理装置１０から取得した商品マスタや、登録装置２０から取得した精算情報に基づいて精算処理を実行した結果が反映された精算処理情報を記憶する。
スキャナ部３０４は、例えば、お会計券に印刷されたコード（バーコードまたは２次元コード）や、会員カード等に付されているコード（会員コード）を光学的に読み取る。
【００３４】
表示部３０５は、タッチパネル（例えば、液晶タッチパネル）であり、種々の情報を表示する。例えば、表示部３０５は、合計金額などが表示される精算画面を表示する。
【００３５】
操作部３０６は、精算装置３０を動作させるための各種の操作ボタン（訂正キー及びプリセットキー等）を備える。例えば、操作部３０６は、操作ボタン（訂正キー）が操作されることにより、操作入力の訂正を受け付ける。
【００３６】
通信部３０７は、ＬＡＮ１１を介して、他の装置と通信する。
ブザー３０８は、エラー等が発生した場合、エラーを報知するブザー音を発生させる。
印刷部３０９は、媒体を印刷して発行する。例えば、印刷部３０９は、精算処理（すなわち、商品の買上金額の決済）が終了した場合、客が持ち帰る精算済みレシートを印刷して発行する。
【００３７】
決済部３１０は、決済（精算）に関する処理を行う。本実施形態における決済部３１０が対応可能な決済の種別としては、現金による決済と、クレジットカードの使用による決済と、電子マネーの使用による決済とのうちの少なくともいずれか１つである場合を例に挙げる。
現金による決済に対応するため、決済部３１０は、釣銭機を備える。釣銭機は、紙幣の投入及び排出をする紙幣投入口、硬貨を投入するための硬貨投入口、釣銭を排出する釣銭排出口を備えている。決済部３１０は、釣銭機によって、現金により決済を実行し、決済を実行した結果（例えば、決済が成立したか否かを示す情報）を、バスを介してＣＰＵ３０１に出力する。
また、クレジットカードの使用による決済に対応する場合、決済部３１０は、クレジットカードリーダを備え、クレジットカードリーダにより読み込まれた情報を利用して精算処理を行う。
また、電子マネーの使用による決済に対応する場合、決済部３１０は、電子マネーリーダを備え、電子マネーリーダにより読み込まれた情報を利用して精算処理を行う。
【００３８】
サインポール３１１は、複数色の表示灯を有し、それらの表示灯を点灯や点滅させることで、精算装置３０が店員により指定された装置であることを示す情報を報知したり、操作可能である旨を報知したりする。
人感知センサ３１２は、精算装置３０の正面の所定圏内に人物（客）がいることを検知するセンサである。
なお、人感知センサ３１２の検知出力は、例えば精算装置３０が、人が自機に近づいたことに応じて、自動的に精算画面を表示させる際に、人が自機に近づいたか否かを判定するのに用いられる。しかしながら、精算装置３０は、例えば精算画面は、例えば精算情報の受信や、お会計券に印刷されたバーコードの読み取りなどに応じて表示されるようにしてもよく、この場合には、人感知センサ３１２は、省略されてよい。
【００３９】
カードリーダ３１３は、例えばＩＣカード形式のＲＦＩＤタグに対する情報の読み出しを行うデバイスである。
【００４０】
図２においては、スキャナ部３０４、表示部３０５、操作部３０６、印刷部３０９、決済部３１０、サインポール３１１及びカードリーダ３１３などを含む精算装置３０の外観構成が示される。
【００４１】
本実施形態の登録装置２０は、商品登録操作や登録装置２０やＰＯＳシステム１における各種設定に関する操作等をはじめとする各種の店員が行うべき操作に対応する操作画面を店員用表示部２０５に表示させる。
図５は、店員用表示部２０５に表示される操作画面の１つである、商品登録画面ＡＲ１の一態様例を示している。商品登録画面ＡＲ１は、店員が行う商品登録操作に対応する画面である。
【００４２】
同図の商品登録画面ＡＲ１は、一取引ごとに対応する商品登録内容を示すシート（商品登録シート）が重ねられた構造を有する。各商品登録シートにはタブ（商品登録タブ：見出し領域の一例）が付されている。同図においては、３つの商品登録タブＴＡＢ１−１、ＴＡＢ１−２、ＴＡＢ１−３が表示されている。同図の商品登録画面ＡＲ１は、これら３つの商品登録シートが重ねられた状態の構造を有する。
商品登録タブＴＡＢ１−１、ＴＡＢ１−２、ＴＡＢ１−３には、登録順番号を示す数字が表示されている。登録順番号は、商品の登録が開始された順番を示す。同図においては、商品登録タブＴＡＢ１−１、ＴＡＢ１−２、ＴＡＢ１−３のそれぞれに登録順番号「１」、「２」、「３」が表示されている。これは、商品の登録が開始された順番が、商品登録タブＴＡＢ１−１に対応する取引、商品登録タブＴＡＢ１−２に対応する取引、商品登録タブＴＡＢ１−３に対応する取引の順であることを示す。
なお、以降の説明にあたり、個々の商品登録タブＴＡＢ１−１、ＴＡＢ１−２、ＴＡＢ１−３等について特に区別しない場合には、商品登録タブＴＡＢ１と記載する。
【００４３】
本実施形態において、同図のように３つの商品登録タブＴＡＢ１が表示されているということは、登録装置２０にて未だ商品登録が完了していない（商品登録中の）取引が３つあることを示している。店員は、これら３つの商品登録シートのうちで、最前面に配置される商品登録シートに対する操作を行って対応の取引についての商品登録を行うことができる。最前面よりも下に配置される商品登録シートが対応する取引については、商品登録が保留された状態である。
店員は、商品登録タブＴＡＢ１に対する操作（タッチ操作）を行うことで、操作された商品登録タブＴＡＢ１の付された商品登録シートを最前面に移動させ、最前面に移動された商品登録シートに対応する取引の商品登録を行うことができる。つまり、店員は、商品登録タブＴＡＢ１に対する操作によって複数の商品登録中の取引のうちから任意の１つの取引に対応する商品登録シートをアクティブとなるように選択し、アクティブの商品登録シートに対応する取引における商品登録操作を行うことができる。
【００４４】
同図においては、商品登録タブＴＡＢ１−１の付された商品登録シートがアクティブとされた状態が示されている。アクティブとされた商品登録シートにおいては、商品ボタンエリアＡＲ１０が配置されている。商品ボタンエリアＡＲ１０においては、商品ごとに対応する商品ボタンが配置される。商品ボタンには、例えば対応の商品を示す商品名が表示されている。
店員は、商品登録操作において、商品ボタンに対する操作を行うことで、登録対象の商品の指定を行うことができる。具体的に、「商品Ｂ」との商品名の商品を登録対象として指定したい場合、店員は、商品ボタンエリアＡＲ１０において配置される商品ボタンのうち、「商品Ｂ」と表示された商品ボタンに対する操作を行えばよい。「商品Ｂ」の商品ボタンに対する操作により、「商品Ｂ」が登録対象として指定される。続けて、店員は、例えば「商品Ｂ」についての数量などを入力する操作を行うことができる。店員は、買上商品ごとに上記のような操作を行っていくことで、順次、商品の登録を行っていくことができる。
【００４５】
同図の商品登録シートにおいては、現段階において２つの商品が登録されていることが示されている。具体的には、同図の商品登録シートにおける登録商品リスト領域ＡＲ１１には、「商品Ａ」、「商品Ｂ」の順で２つの商品が登録されたことが示されている。また、登録商品領域ＡＲ１２には、最後に登録された「商品Ｂ」についての情報が示されている。また、合計金額領域ＡＲ１３においては、これまでに登録された商品の総数が「２」であり、これら２つの商品の合計金額が１９００円であることが示されている。
【００４６】
また、店員用表示部２０５の画面においては、商品登録画面ＡＲ１とともに共通エリアＡＲ２０（共通領域の一例）が配置されている。共通エリアＡＲ２０は、店員用表示部２０５の表示領域全体において、商品登録画面ＡＲ１としての領域とは異なる領域に配置されている。本実施形態において、商品登録画面ＡＲ１が表示される領域は、例えばメインとなる操作画面が表示される領域（操作画面領域の一例）に対応し、当該領域においては、店員の操作や処理の進行等に応じて操作画面の表示が切り替わる。共通エリアＡＲ２０は、このようなメインとなる操作画面の表示の切り替わりに応じて変化せずに同じ態様での表示が維持される領域である。換言すれば、共通エリアＡＲ２０は、店員用表示部２０５においてメインとなる操作画面が提供する機能が変更されても、これに応じて変更することなく同じ機能を提供する。
【００４７】
同図の共通エリアＡＲ２０においては、精算装置指定ボタンＢＴ１−１、ＢＴ１−２、ＢＴ１−３（第１画像操作子の一例）が配置される。精算装置指定ボタンＢＴ１−１、ＢＴ１−２は、それぞれ、精算装置３０−１、３０−２、３０−３に対応し、精算処理を実行させる精算装置３０を指定する操作（精算装置指定操作）が行われるボタンである。
なお、精算装置指定ボタンＢＴ１−１、ＢＴ１−２について特に区別しない場合には、精算装置指定ボタンＢＴ１と記載する。
【００４８】
また、共通エリアＡＲ２０においては、拡大表示ボタンＢＴ２も配置された例が示される。拡大表示ボタンＢＴ２については後述する。
【００４９】
精算装置指定ボタンＢＴ１においては、対応の精算装置３０についての現在の状態を示す精算装置状態表示が行われる。同図では、精算装置状態表示は、精算装置指定ボタンＢＴ１ごとに配置されたバッジＢＧにより行われる例が示される。
具体的に、同図の精算装置指定ボタンＢＴ１−１には、「待機」と表示されたバッジＢＧが配置された例が示されている。この精算装置指定ボタンＢＴ１−１の状態は、精算装置３０−１が精算処理の開始を待機している状態にあることを示す。つまり、この際の精算装置３０−１は、精算関連操作も開始されておらず、精算指示情報も受信していない状態である。
また、同図の精算装置指定ボタンＢＴ１−２にも、精算装置指定ボタンＢＴ１−１と同様に、「待機」と表示されたバッジＢＧが配置された例が示されている。
また、精算装置指定ボタンＢＴ１−３には、「使用中」と表示されたバッジＢＧが配置された例が示されている。さらに、精算装置指定ボタンＢＴ１−３における「精算機３」の文字に対して斜線が引かれた状態となっている。この精算装置指定ボタンＢＴ１−３の状態は、精算装置３０−３が、精算指示情報の受信により取得された精算情報に基づく精算処理を客の操作に応じて実行中であることを示す。
なお、上記のような精算装置３０の状態ごとに応じて、例えば精算装置指定ボタンＢＴ１自体の色、柄などが変更されるように表示されてもよい。
【００５０】
なお、精算装置状態表示によっては、例えばニアエンド、ニアフル、故障など、上記の「待機」、「使用中」以外の各種の状態も示されてよい。精算装置状態表示は、精算装置指定ボタンＢＴ１内に収まるように文字やアイコン等により表示したり、精算装置指定ボタンＢＴ１とは別の領域にて表示したりするなど、バッジＢＧ以外の態様によって表示されてもよい。
【００５１】
なお、「使用中」の状態にある精算装置３０に対応する精算装置指定ボタンＢＴ１に関しては、「使用中」の状態におけるさらに詳細な状態を示す表示が行われるようにされてよい。例えば「使用中」の状態の精算装置３０が現金による決済種別に対応する精算処理を実行しているときには、預かり金としての入金金額に関する情報が、対応の精算装置指定ボタンＢＴ１にて示されるように表示が行われてよい。この場合において、預かり金としての入金金額に関する情報は、例えば精算装置３０にて預かり金としての貨幣の投入が行われることに応じて、現在までに投入された金額の合計が示されるようにしてよい。あるいは、商品の合計金額以上の金額が投入されて預かり金の金額が確定された段階で、確定された預かり金の金額が示されるようにしてよい。
また、「使用中」の状態の精算装置３０が、クレジットカードもしくは電子マネーなどによる決済種別に対応する精算処理を実行しているときには、例えば「カード決済中」もしくは「電子マネー決済中」等のように、クレジットカードもしくは電子マネー対応の精算処理を実行中であることを示す表示が行われてよい。
上記のような、「使用中」の状態におけるさらに詳細な状態を示す表示は、例えば図５において、バッジＢＧにより「使用中」の状態を示す表示に代えて行われるようにされてよい。
【００５２】
上記のような登録装置２０における精算装置３０ごとの状態に関する表示は、ＰＯＳシステム１において、精算装置３０が自己の状態についての通知を、定期的あるいは登録装置２０や管理装置１０からの問合せに応答して行うことにより実現される。
【００５３】
例えば、店員は、商品登録タブＴＡＢ１−１の付された商品登録シートに対応する取引における全ての商品について商品登録操作を完了させると、小計操作を行う。小計操作は、図示は省略するが店員用表示部２０５の所定の位置に配置される小計操作用のボタンに対する操作、あるいは操作部２０６に含まれる物理的な小計操作用のキー等に対する操作であってよい。
【００５４】
小計操作が行われたことに応じて、店員用表示部２０５における商品登録画面ＡＲ１は、小計画面に変更されるようにして表示が行われる。
図６は、図５に示されるように商品Ａ、商品Ｂが登録された段階で小計操作が行われた場合に表示される小計画面ＡＲ５の一態様例を示している。
【００５５】
同図の小計画面ＡＲ５は、商品登録タブＴＡＢ１−１に対応する取引についての小計結果を示すものとなる。
小計画面ＡＲ５において、登録商品エリアＡＲ５１には、今回の取引においてこれまでに登録された商品についての各項目が、上段から下段にかけて登録順に従った配列順で配置される。
同図の登録商品エリアＡＲ５１においては、登録順に従って、「商品Ａ」、「商品Ｂ」の２つ商品ごとの項目が配置されている。
「商品Ａ」の項目においては、税込み単価８００円の「商品Ａ」が１個登録されたことで、「商品Ａ」についての税込み金額が８００円であることが示されている。
「商品Ｂ」の項目においては、税込み単価１１００円の「商品Ｂ」が１個登録されたことで、「商品Ｂ」についての税込み金額が１１００円であることが示されている。
【００５６】
小計画面ＡＲ５において、小計金額エリアＡＲ５２は、これまでの商品の登録結果に基づく小計結果が示される。同図の小計金額エリアＡＲ５２においては、登録された商品の個数が２個であり、登録された２個の商品の小計金額が１９００円であることが示されている。
小計画面ＡＲ５において、合計金額エリアＡＲ５３は、これまでの商品の登録結果に基づく合計金額が示される。合計金額としては、小計金額と同じ１９００円が示さる。
【００５７】
また、同図の小計画面ＡＲ５は、小計操作に応じて図５の商品登録画面ＡＲ１から切り替わるように表示されたものである。これに対して、共通エリアＡＲ２０は、商品登録画面ＡＲ１から小計画面ＡＲ５への切り替わりに応じて変更されることなく、図５の商品登録画面ＡＲ１が表示されていたときと同じ内容が継続して表示される。
【００５８】
上記のように小計操作を行ったことで小計画面が表示されている状態において、店員は、当該取引に対応する精算処理を実行させる精算装置３０が、精算装置３０−１〜３０−３のうちのいずれであるべきかについて確認する。この場合、店員は、例えば、現在において、いずれの精算装置３０に対応の客がいるのかを目視で確認することによって、取引に対応する精算処理を実行させるべき精算装置３０を確認できる。
なお、精算装置３０に撮像装置を設けてもよい。撮像装置による撮像画像に基づいて、例えば同一人物が一定時間以上継続して撮像されたことが判定されたことに応じて、当該撮像画像が登録装置２０の店員用表示部２０５に表示されるようにしてもよい。このようにすれば、店員は、いずれの精算装置３０に対応の客がいるのかを、より的確に確認できるようになる。
【００５９】
精算装置指定操作として、店員は、確認した精算装置３０に対応する精算装置指定ボタンＢＴ１に対する操作を行うことができる。図５の例との対応では、精算装置指定操作の対象となる精算装置指定ボタンＢＴ１は、精算装置３０−１に対応する精算装置指定ボタンＢＴ１−１である。従って、この場合の店員は、精算装置指定操作として、精算装置指定ボタンＢＴ１−１に対する操作を行ってよい。
【００６０】
精算装置指定ボタンＢＴ１−１に対する操作が行われたことに応じて、登録装置２０は、商品登録タブＴＡＢ１−１の付された商品登録シートに対応する取引についての精算指示情報を含む精算指示情報を精算装置３０−１に対して送信する。
上記のように精算装置３０−１に対して精算情報を送信したことに応じて、登録装置２０にてこれまで表示されていた商品登録タブＴＡＢ１−１の付された商品登録シートは、商品登録画面から消去されればよい。そして、代わりに、例えば商品登録タブＴＡＢ１−２の付された商品登録シートが最前面となるように表示される。
また、このように商品登録タブＴＡＢ１−２の付された商品登録シートが最前面となるように表示された際、商品登録タブＴＡＢ１−２において表示されている登録順番号は「２」から「１」に繰り上がり、商品登録タブＴＡＢ１−２において表示されている登録順番号は「３」から「２」に繰り上がる。
【００６１】
登録装置２０を操作する店員は、今回の精算装置指定操作を行った取引に対応する客に対して、精算装置指定操作により指定した精算装置３０−１にまで赴いて精算してもらうように口頭で伝える。客は、精算を行うために店員から伝えられた精算装置３０−１にまで赴くようにされる。
精算装置３０−１は、上記のように登録装置２０から送信された精算指示情報を受信する。精算装置３０−１に赴いた客は、精算のための操作を行う。精算装置３０−１は、客により行われる操作に応じて、受信された精算指示情報に含まれる精算情報を利用して精算処理を実行する。
【００６２】
上記の説明から理解されるように、本実施形態の登録装置２０は、精算装置指定操作として、共通エリアＡＲ２０において配置される精算装置指定ボタンＢＴ１に対する操作を行うことができる。
しかしながら、図５の例では、共通エリアＡＲ２０は、商品登録画面等が配置されるメインの操作画面の領域に対して、サブとなる操作領域としての位置付けとなっている。このために、共通エリアＡＲ２０が店員用表示部２０５の画面全体において占有する面積はメインの操作領域に対して相当に少ない。このため、共通エリアＡＲ２０に配置される精算装置指定ボタンＢＴ１のサイズを大きくすることには制限がある。さらに共通エリアＡＲ２０は、店員用表示部２０５の画面の下の縁側に配置されている。これに伴い、精算装置指定ボタンＢＴ１も、店員用表示部２０５の画面の縁側に配置されることになる。
このため、店員によっては、図５に示される精算装置指定ボタンＢＴ１に対する操作に関して、サイズ、位置等の点で、操作性が良好でないとの印象を持つ場合がある。
これまでの説明から理解されるように、精算装置指定操作は、一取引に応じた商品登録が完了するごとに行われる操作である。従って、精算装置指定操作は、登録装置２０を操作する店員が行う操作のうちでも比較的頻度が高い操作となる。このため、精算装置指定操作については、できるだけ操作性が向上されることが好ましい。
【００６３】
そこで、本実施形態においては、共通エリアＡＲ２０において、精算装置指定ボタンＢＴ１とともに、拡大表示ボタンＢＴ２を配置する。拡大表示ボタンＢＴ２は、精算装置指定ボタンを拡大して表示させるための操作が行われるボタンである。
店員は、精算装置指定操作を行うにあたり、共通エリアＡＲ２０に配置された精算装置指定ボタンＢＴ１では操作がしにくいと思った場合には、拡大表示ボタンＢＴ２に対する操作（拡大指示操作）を行うことができる。拡大指示操作が行われたことに応じて、店員用表示部２０５においては、精算指定拡大画面が表示される。
【００６４】
図７は、本実施形態における精算指定拡大画面ＷＤ１の一態様例を示している。同図の精算指定拡大画面ＷＤ１は、ウィンドウ形式により、図６に示されていた小計画面ＡＲ５を含む操作画面上に重畳して配置される態様例を示している。
精算指定拡大画面ＷＤ１においては、精算装置３０−１、３０−２、３０−３ごとに対応する精算装置指定ボタンＢＴ１０−１、１０−２、１０−３（第２画像操作子の一例）が配置される。以降の説明にあたり、精算装置指定ボタンＢＴ１０−１、１０−２、１０−３について特に区別しない場合には、精算装置指定ボタンＢＴ１０と記載する。
【００６５】
精算装置指定ボタンＢＴ１０には、それぞれ、対応の精算装置３０の状態（ステータス）を示すバッジＢＧが配置される。
精算装置指定ボタンＢＴ１０−１には、対応の精算装置３０−１について、待機中の状態であることを示すバッジＢＧと、釣銭不足（或る金種がニアエンドの状態）であることを示すバッジＢＧとの２つのバッジＢＧが配置された例が示される。
また、精算装置指定ボタンＢＴ１０−２には、対応の精算装置３０−２について、待機中の状態であることを示すバッジＢＧと、釣銭不足であることを示すバッジＢＧとの２つのバッジＢＧが配置された例が示される。
また、精算装置指定ボタンＢＴ１０−３には、対応の精算装置３０−３について、使用中の状態であることを示すバッジＢＧが１つ配置された例が示される。
同図の例では、精算装置指定ボタンＢＴ１０−１、ＢＴ１０−２については、いずれも対応の精算装置３０−１、３０−２が待機中の状態であって、精算装置指定操作が可能であることから、アクティブな状態で表示されている。一方、精算装置指定ボタンＢＴ１０−３は、対応の精算装置３０−３が使用中の状態であることから、非アクティブの状態で表示され、操作が不可であることが示されている。具体的に、同図での非アクティブの状態は、精算装置指定ボタンＢＴ１０−３について、グレーアウトで表示するとともに、斜線を配置している。
【００６６】
店員は、精算指定拡大画面ＷＤ１が表示されている状態では、共通エリアＡＲ２０に配置される精算装置指定ボタンＢＴ１ではなく、精算指定拡大画面ＷＤ１内の精算装置指定ボタンＢＴ１０に対する操作によって精算装置指定操作を行うことができる。
なお、精算指定拡大画面ＷＤ１が表示されているときには、共通エリアＡＲ２０における精算装置指定ボタンＢＴ１に対する操作が不可となるようにされてもよい。この場合、精算装置指定ボタンＢＴ１については例えばグレーアウトで表示するなど、操作が不可であることが視覚的に把握されるようにすることが好ましい。あるいは、精算指定拡大画面ＷＤ１が表示されていても、共通エリアＡＲ２０における精算装置指定ボタンＢＴ１に対する操作も可能とされてよい。
【００６７】
精算指定拡大画面ＷＤ１において配置される精算装置指定ボタンＢＴ１０は、共通エリアＡＲ２０における精算装置指定ボタンＢＴ１よりもサイズが大きい。このため、店員としては、共通エリアＡＲ２０に配置される精算装置指定ボタンＢＴ１を操作する場合よりも、精算装置指定ボタンＢＴ１０を操作することのほうが、精算装置指定操作を行いやすくなる。
また、精算指定拡大画面ＷＤ１は、店員用表示部２０５の画面におけるほぼ中央において最前面にて表示される。この点でも、店員は、精算装置指定操作として、共通エリアＡＲ２０に配置される精算装置指定ボタンＢＴ１よりも、精算装置指定ボタンＢＴ１０のほうが操作しやすくなる。
このようにして、本実施形態では、店員用表示部２０５において、精算装置指定ボタンＢＴ１０を配置した精算指定拡大画面ＷＤ１を表示させることで、精算装置指定操作についての操作性が向上されるようにしている。
【００６８】
また、精算装置指定ボタンＢＴ１は、共通エリアＡＲ２０において固定された位置に配置されるとともに、サイズが小さい。このために、店員用表示部２０５のタッチパネルにおける特定の狭い領域に対して頻繁にタッチ操作が行われることになる。このため、店員用表示部２０５のタッチパネルにおいて精算装置指定ボタンＢＴ１が配置される領域の使用に応じた劣化が進行しやすい。
そこで、本実施形態のように精算指定拡大画面ＷＤ１を表示させて、精算装置指定ボタンＢＴ１よりも大きいサイズの精算装置指定ボタンＢＴ１が操作できるようにすれば、精算装置指定ボタンＢＴ１に対する操作の頻度が抑えられる。この結果、タッチパネルにおいて精算装置指定ボタンＢＴ１が配置された領域の劣化の進行も抑制することが可能になる。
【００６９】
また、同図の精算指定拡大画面ＷＤ１においては、合計金額（小計金額）を示す小計エリアＡＲ３１が配置される。精算指定拡大画面ＷＤ１において小計エリアＡＲ３１が配置されることで、店員は、精算指定拡大画面ＷＤ１が表示されたことで、小計画面ＡＲ５が隠れて見にくい状態となっても、対応の取引についての合計金額を正確に把握できる。
なお、小計エリアＡＲ３１においては、合計金額だけではなく、例えば登録された商品に応じた合計金額の内訳（商品ごとの単価、個数、単価と個数に応じた金額等）も示されてよい。
【００７０】
また、精算指定拡大画面ＷＤ１においては、閉じるボタンＢＴ２０が配置されている。閉じるボタンＢＴ２０が操作されたことに応じて、精算指定拡大画面ＷＤ１は消去され、図６の状態に戻る。
【００７１】
精算指定拡大画面ＷＤ１を消去するトリガ（消去トリガ）としては、閉じるボタンＢＴ２０に対する操作が行われたことのほか、以下のようなものを挙げることができる。
例えば、精算指定拡大画面ＷＤ１は、スキャナ部２０４にてコードの読み取りが行われたことを消去トリガとして消去されてもよい。
スキャナ部２０４にてコードの読み取りが行われる場合として、１つには、客による追加の商品の購入の申し出に応じて、商品のバーコードを読み取らせる操作が行われた場合を挙げることができる。この場合、登録装置２０は、商品のバーコードの読み取りに応じて、先の小計操作に応じて終了された商品登録処理を再開させる。商品登録処理の再開に応じて、店員用表示部２０５における表示は、小計画面ＡＲ５から商品登録画面ＡＲ１に戻される。
また、スキャナ部２０４にてコードの読み取りが行われる場合として、もう１つには、登録装置２０にて決済を完結させることが可能な品券のバーコードの読み取りが行われた場合を挙げることができる。この場合、登録装置２０は、品券のバーコードを読み取ったことに応じて、精算指定拡大画面ＷＤ１を消去するとともに、読み取ったバーコードが示す品券の情報を利用して決済処理を実行する。この際、登録装置２０は、店員用表示部２０５において、品券の利用に応じた決済処理に対応する操作画面を表示させてよい。
また、精算指定拡大画面ＷＤ１は、スキャナ部２０４またはカードリーダ２１０により会員カードの情報の読み取りが行われたことを消去トリガとして消去されてもよい。この場合、登録装置２０は、例えば先の小計操作に応じて終了された商品登録処理に対応する取引に対して読み取られた会員カードの情報を対応付け、ポイント付与やポイント残高の利用による決済等の処理を実行してよい。
また、精算指定拡大画面ＷＤ１は、店員により操作部２０６に含まれる物理的なキーのうち、登録装置２０にて決済を完結させることが可能な品券の利用を指定するためのキーに対する操作が行われたことに応じて消去されてもよい。この場合の登録装置２０は、品券の利用に応じた決済処理に移行してよい。
【００７２】
図８のフローチャートを参照して、本実施形態の登録装置２０が実行する処理手順例について説明する。
ステップＳ１０１：登録装置２０は、待機状態において商品登録操作が開始されたことに応じて、一取引に対応する商品登録処理の実行を開始する。商品登録処理の実行を開始して以降、登録装置２０は、買上商品ごとに店員が行う商品登録操作に応じて、商品ごとに対応する商品登録処理を実行していく。また、一取引に応じた商品登録処理が開始されて以降においては、店員用表示部２０５にて対応の取引の商品登録シートを最前面に配置した商品登録画面ＡＲ１が表示される。
【００７３】
ステップＳ１０２：商品登録処理が開始されて以降において、登録装置２０は、小計操作が行われるのを待機する。
ステップＳ１０３：小計操作が行われると、登録装置２０は、これまでの商品登録処理を完了させ、店員用表示部２０５におけるメインの操作画面の表示を、これまでの商品登録画面ＡＲ１から、今回の商品登録処理結果が反映された小計画面ＡＲ５に変更する。この場合において、共通エリアＡＲ２０については、図５及び図６に例示したように、商品登録画面ＡＲ１が表示されていたときと、小計画面ＡＲ５が表示されているときとで変更はなく、同じ態様で表示される。
【００７４】
ステップＳ１０４：小計画面ＡＲ５が表示されている状態において、登録装置２０は、拡大指示操作が行われたか否かについて判定する。拡大指示操作は、共通エリアＡＲ２０における拡大表示ボタンＢＴ２に対して行われる操作である。
【００７５】
ステップＳ１０５：拡大指示操作の行われたことが判定された場合、登録装置２０は、精算指定拡大画面ＷＤ１を表示させる。
なお、既に精算指定拡大画面ＷＤ１が表示されている状態のもとで拡大表示ボタンＢＴ２に対する操作が行われた場合、登録装置２０は、当該操作について無効として扱うようにされてよい。
【００７６】
ステップＳ１０６：ステップＳ１０５の処理の後、あるいはステップＳ１０４にて拡大指示操作が行われなかったことが判定された場合、登録装置２０は、精算装置指定操作が行われたか否かについて判定する。当該ステップＳ１０６として、登録装置２０は、精算指定拡大画面ＷＤ１が表示されていない場合には、共通エリアＡＲ２０における精算装置指定ボタンＢＴ１に対する操作が行われたか否かについて判定する。一方、登録装置２０は、精算指定拡大画面ＷＤ１が表示されている場合には、ステップＳ１０６として、精算指定拡大画面ＷＤ１における精算装置指定ボタンＢＴ１に対する操作が行われたか否かについて判定する。
【００７７】
ステップＳ１０７：ステップＳ１０６にて精算装置指定操作が行われないと判定された場合、登録装置２０は、精算指定拡大画面ＷＤ１の消去トリガが発生したか否かについて判定する。なお、精算指定拡大画面ＷＤ１が表示されていない状況では、当該ステップＳ１０７の処理はスキップされてよい。
消去トリガが発生していないと判定された場合には、ステップＳ１０６に処理が戻される。
【００７８】
ステップＳ１０８：ステップＳ１０７にて消去トリガが発生したことが判定された場合、登録装置２０は、これまで表示させていた精算指定拡大画面ＷＤ１を消去させる。
【００７９】
ステップＳ１０９：例えば消去トリガとして、閉じるボタンＢＴ３が操作された場合には、ステップＳ１０８により精算指定拡大画面ＷＤ１を消去させたことに応じて、精算指定拡大画面ＷＤ１を表示させる前の状態に戻す処理が実行される。具体的には、登録装置２０は、図６に示したようにメインの操作画面として小計画面ＡＲ５が表示された状態に戻す処理を実行する。
一方、今回発生した消去トリガが、スキャナ部２０４によるコードの読み取り、会員カードの情報の読み取り、品券利用指定のための物理的なキーに対する操作等である場合、登録装置２０は、商品登録処理の再開、決済処理等の処理に遷移することになる。つまり、この場合の登録装置２０は、精算指定拡大画面ＷＤ１が表示される前の状態を表示させる処理と異なる所定の他の処理に遷移する。
そこで、登録装置２０は、今回発生した消去トリガに応じて他の処理への遷移が必要か否かについて判定する。
例えば、今回の消去トリガが閉じるボタンＢＴ３に対する操作であった場合には、ステップＳ１０８により精算指定拡大画面ＷＤ１を消去して、そのまま小計画面ＡＲ５が最前面にて表示されるようにすれよいことから、他の処理への遷移は不要であると判定される。他の処理への遷移は不要であると判定された場合、ステップＳ１０４に処理が戻される。
一方、消去トリガがスキャナ部２０４によるコードの読み取り、会員カードの情報の読み取り、品券利用指定のための物理的なキーに対する操作等である場合、登録装置２０は、他の処理への遷移が必要であると判定する。
ステップＳ１１０：ステップＳ１０９にて他の処理への遷移が必要であると判定された場合、登録装置２０は、発生した消去トリガに応じた他の処理に遷移する。
【００８０】
ステップＳ１１１：ステップＳ１０６にて精算装置指定操作の行われたことが判定された場合、登録装置２０は、精算装置指定操作によって指定された精算装置３０に対して、精算指示情報を送信する。
【００８１】
＜第２実施形態＞
続いて、第２実施形態について説明する。図９は、本実施形態における精算指定拡大画面ＷＤ１の一態様例を示している。同図の精算指定拡大画面ＷＤ１は、先の第１実施形態と同様に、店員が、小計操作の後において共通エリアＡＲ２０内の拡大表示ボタンＢＴ２を操作することによって表示されてよい。同図において、図７と同一部分については同一符号を付して説明を省略する。
【００８２】
同図の精算指定拡大画面ＷＤ１においては、決済指示ボタンＢＴ１１−１〜ＢＴ１１−４（第３画像操作子の一例）が配置されている。
本実施形態のＰＯＳシステム１では、例えば現金の扱いが不要な所定の決済種別については、精算装置３０の精算処理によることなく、登録装置２０にて決済処理を完結させることが可能とされている。
決済指示ボタンＢＴ１１−１〜ＢＴ１１−４は、それぞれ、登録装置２０にて決済処理を完結させることが可能な決済種別のうちの所定の１つを指定して、登録装置２０に決済処理の実行を指示するための操作が行われるボタンである。
【００８３】
登録装置２０にて決済処理を完結させることが可能な決済種別（単独決済種別）として、本実施形態では、クレジットカードの利用による決済、電子マネーの利用による決済、ポイントの利用による決済、品券の利用による決済等がある。
決済指示ボタンＢＴ１１−１は、単独決済種別のうちでクレジットカードの利用による決済に対応する決済処理の実行を指示する操作が行われるボタンである。決済指示ボタンＢＴ１１−１に対する操作が行われた場合、登録装置２０は、クレジットカードの利用に対応する決済処理に遷移する。
決済指示ボタンＢＴ１１−２は、単独決済種別のうちで電子マネーの利用による決済に対応する決済処理の実行を指示する操作が行われるボタンである。決済指示ボタンＢＴ１１−２に対する操作が行われた場合、登録装置２０は、電子マネーの利用に対応する決済処理に遷移する。
決済指示ボタンＢＴ１１−３は、単独決済種別のうちでポイントの利用による決済に対応する決済処理の実行を指示する操作が行われるボタンである。決済指示ボタンＢＴ１１−３に対する操作が行われた場合、登録装置２０は、ポイントの利用に対応する決済処理に遷移する。
決済指示ボタンＢＴ１１−４は、単独決済種別のうちで品券の利用による決済に対応する決済処理の実行を指示する操作が行われるボタンである。決済指示ボタンＢＴ１１−４に対する操作が行われた場合、登録装置２０は、品券の利用に対応する決済処理に遷移する。
なお、以降の説明にあたり、決済指示ボタンＢＴ１１−１〜ＢＴ１１−４について特に区別しない場合には、決済指示ボタンＢＴ１１と記載する。
【００８４】
先の第１実施形態の精算指定拡大画面ＷＤ１においては、小計エリアＡＲ３１が配置されていた。小計エリアＡＲ３１が配置される精算指定拡大画面ＷＤ１は、合計金額を示すことにより対応の取引の商品登録処理結果（小計結果）に関する情報を提供するという機能を有しているといえる。つまり、精算指定拡大画面ＷＤ１においては、精算装置指定操作を受け付ける以外の機能を有してもよい。
そこで、本実施形態においては、同図に示されるように、精算指定拡大画面ＷＤ１において、決済指示ボタンＢＴ１１を配置している。つまり、本実施形態においては、精算指定拡大画面ＷＤ１に対して、単独決済種別に該当する決済種別により登録装置２０に決済処理の実行を指示する操作を受け付ける機能を付与している。
【００８５】
店員は、小計操作後において表示された精算指定拡大画面ＷＤ１に対して、精算装置指定操作と、単独決済種別を指定して決済処理の実行を指示する操作とを適宜選択して行うことができる。つまり、店員は、例えば客から単独決済種別により登録装置２０で決済することの申し出を受けた場合に、客から指定された単独決済種別に対応する決済指示ボタンＢＴ１１を操作して、登録装置２０にて決済を完結させることができる。一方、店員は、例えば現金の扱いを含む決済など単独決済種別以外の決済種別により決済を行うべき場合、あるいは、単独決済種別であっても精算装置３０での決済を客が望むような場合には、精算装置指定ボタンＢＴ１０に対する操作を行えばよい。
【００８６】
なお、本実施形態の変形例として、決済指示ボタンＢＴ１１に相当する操作子（決済操作子）は、例えば図５に例示した商品登録画面や、図６に例示した小計画面が表示されている段階において、画面全体における所定位置に配置されていてもよい。あるいは、決済操作子は、商品登録が開始されて以降の所定のタイミングで、客用表示部２０５ａの画面における所定の位置にて配置されるようにしてよい。
そして、上記のように表示された決済操作子に対する操作が、精算指定拡大画面ＷＤ１が表示されるよりも前のタイミングで行われ、登録装置２０への決済処理の指示が済んでいる場合には、以下のように精算指定拡大画面ＷＤ１を図９の態様から変更してよい。
つまり、この場合には、精算指定拡大画面ＷＤ１において、先の決済操作子に対する操作によって指定された決済種別を示す表示が行われるようにされてよい。このように、精算指定拡大画面ＷＤ１にて指定された決済種別を示す表示を行う場合には、決済指示ボタンＢＴ１１については配置しないようにする、あるいは決済指示ボタンＢＴ１１については、例えばグレーアウトなどのように操作が不可であることを示す態様に変更してよい。このようにすれば、精算指定拡大画面ＷＤ１の表示段階で登録装置２０への決済処理の指示の操作が重複して行われないようにすることができる。
【００８７】
＜第３実施形態＞
続いて、第３実施形態について説明する。先の第１実施形態及び第２実施形態に対応する図７及び図９の精算指定拡大画面ＷＤ１においては、登録装置２０と対応付けられた精算装置３０の全てに対応する精算装置指定ボタンＢＴ１０が配置される態様であった。登録装置２０は対応付けられた精算装置３０を精算指示情報の送信先として指定することができる。具体的には、図７及び図９の精算指定拡大画面ＷＤ１の例では、ＰＯＳシステム１において配置される３つの精算装置３０−１、３０−２、３０−３ごとに対応する、３つの精算装置指定ボタンＢＴ１０が配置されていた。
この場合、例えば図７及び図９に例示したように、現在において使用中であるために精算指示情報の送信先として指定することが不可の精算装置３０に対応する精算装置指定ボタンＢＴ１０も、非アクティブの状態ではあるが定常的に表示されていた。
【００８８】
これに対して、本実施形態の精算指定拡大画面ＷＤ１は、精算装置指定ボタンＢＴ１０については、現在において精算指示情報の送信が可能な精算装置３０に対応するものを配置し、精算指示情報の送信が不可の精算装置３０に対応するものの配置を省略する。
【００８９】
図１０は、本実施形態における精算指定拡大画面ＷＤ１の一例を示している。同図の精算指定拡大画面ＷＤ１は、先の第１実施形態と同様に、店員が、小計操作の後において共通エリアＡＲ２０内の拡大表示ボタンＢＴ２を操作することによって表示されてよい。同図において、図７と同一部分については同一符号を付して説明を省略する。
同図は、現在において、ＰＯＳシステム１において配置される３つの精算装置３０−１、３０−２、３０−３のうち、精算装置３０−１、３０−２に対して精算指示情報の送信が可能であり、精算装置３０−３には、精算指示情報の送信が不可である状況に対応する。
このような現在の状況に応じて、同図の精算指定拡大画面ＷＤ１においては、精算装置３０−１、３０−２、３０−３のうち、精算装置３０−１、３０−２に対応する２つの精算装置指定ボタンＢＴ１０−１、ＢＴ１０−２が配置されている。一方で、同図の精算指定拡大画面ＷＤ１において、精算装置３０−３に対応する精算装置指定ボタンは配置されていない。
【００９０】
このような態様の精算指定拡大画面ＷＤ１においては、操作が可能な精算装置指定ボタンＢＴ１０のみが配置されることになる。これにより、店員が、精算指示情報の送信先として指定することが不可の状態にある精算装置３０に対応する精算装置指定ボタンＢＴ１０を誤ってタッチしてしまうような誤操作が防がれる。
【００９１】
＜第４実施形態＞
続いて、第４実施形態について説明する。上記の各実施形態では、小計操作後において、拡大指示操作として拡大表示ボタンＢＴ２に対する操作が行われたことに応じて、精算指定拡大画面ＷＤ１を表示するようにされていた。
これに対して、本実施形態においては、小計操作が行われたことに応じて、精算指定拡大画面ＷＤ１が表示されるようにする。即ち、本実施形態においては、小計操作が拡大指示操作に相当する。本実施形態によれば、小計操作の後においてさらに拡大指示操作を行う必要が無く、小計操作に応じて直ちに精算指定拡大画面ＷＤ１を表示させることができる。
【００９２】
本実施形態において表示される精算指定拡大画面ＷＤ１は、図７、図９、図１０に示した態様のいずれであってもよい。
また、本実施形態において図７、図９、図１０のようにウィンドウ形式で精算指定拡大画面ＷＤ１を表示させる場合、精算指定拡大画面ＷＤ１の背面側に表示されるメインの操作画面も、図７、図９、図１０と同様に小計画面ＡＲ５であってよい。
また、本実施形態において表示された精算指定拡大画面ＷＤ１も、先の実施形態と同様の消去トリガが発生したことに応じて消去されてよい。精算指定拡大画面ＷＤ１の消去後においては、登録装置２０は、共通エリアＡＲ２０における拡大表示ボタンＢＴ２に対する操作に応じて、再び精算指定拡大画面ＷＤ１を表示できるようにしてよい。また、精算指定拡大画面ＷＤ１が消去された状態において、登録装置２０は、共通エリアＡＲ２０において配置されている精算装置指定ボタンＢＴ１に対する操作に応じて、精算装置３０に精算指示情報を送信できる。
【００９３】
＜変形例＞
以下、本実施形態の変形例について説明する。
［第１変形例］
上記各実施形態において、精算指定拡大画面ＷＤ１を表示させる拡大指示操作は、小計操作後における拡大表示ボタンＢＴ２に対する操作、もしくは小計操作であった。つまり、拡大指示操作が行われるタイミングは、一取引に対応する商品登録の終了以降とされていた。
これに対して、本変形例においては、拡大指示操作は、一取引における商品登録が開始されて以降は、小計操作が行われる前後に関わらず、いつでも行えるようにされてよい。このように拡大指示操作が小計操作の前後において可能とされる本変形例の場合、拡大指示操作は、拡大表示ボタンＢＴ２に対する操作とされて、小計操作と異なる操作として行われることが好ましい。
この場合、小計操作の前の段階で精算指定拡大画面ＷＤ１を表示させた場合、未だ商品登録処理が完了されていないことから、精算装置指定ボタンＢＴ１０に対する操作は受け付けられない。そこで、本変形例のもとでは、小計操作の前の段階で精算指定拡大画面ＷＤ１を表示させた場合、精算指定拡大画面ＷＤ１が表示された状態のもとで小計操作が可能なようにされてよい。この場合には、小計操作が行われたことに応じて精算指定拡大画面ＷＤ１において配置された精算装置指定ボタンＢＴ１０がアクティブ状態となるようにされてよい。
【００９４】
また、小計操作の前の段階で精算指定拡大画面ＷＤ１を表示させた場合、小計エリアＡＲ３１は、例えば商品登録処理が完了していないことから、小計操作が行われるまでは、小計結果が未確定であることを示す態様の表示が行われるようにされてよい。そして、小計操作が行われたことに応じて、小計エリアＡＲ３１において、合計金額を表示するなど、確定された小計結果が反映された表示が行われるようにされてよい。
【００９５】
［第２変形例］
本変形例は、第１変形例のように小計操作の前後に関わらず拡大指示操作により精算指定拡大画面ＷＤ１を表示可能とされる。前述のように、小計操作の前の段階で精算指定拡大画面ＷＤ１を表示させた場合には、小計操作が行われていなければ、精算装置指定ボタンＢＴ１０に対する操作は受け付けられない。この場合、小計操作が行われるまでは、精算指定拡大画面ＷＤ１において精算装置指定ボタンＢＴ１０を表示させておくことの有用性はないとの考え方をとることができる。
そこで、本変形例においては、小計操作の前において精算指定拡大画面ＷＤ１を表示させる場合、表示される精算指定拡大画面ＷＤ１においては、例えば精算装置指定ボタンＢＴ１０に代えて、精算装置３０ごとの状態（ステータス）を、バッジＢＧよりも詳細に示す表示が行われるようにする。
【００９６】
図１１は、本変形例において表示される精算指定拡大画面ＷＤ１の態様例を示している。同図の精算指定拡大画面ＷＤ１においては、釣銭状態エリアＡＲ１２１、精算処理状態エリアＡＲ１２２、及びプリンタ状態エリアＡＲ１２３が配置される。
釣銭状態エリアＡＲ１２１においては、精算装置３０−１（「精算機１」）、精算装置３０−２（「精算機２」）、精算装置３０−３（「精算機３」）のそれぞれの釣銭状態が示される。同図の例では、金種ごとの区分に対応させて、精算装置３０−１、３０−２、３０−３ごとに、「枚数」と、金種ごとの枚数に対応する「状態」とが示されている。
精算処理状態エリアＡＲ１２２においては、精算装置３０−１（「精算機１」）、精算装置３０−２（「精算機２」）、精算装置３０−３（「精算機３」）とのそれぞれの釣銭状態が示される。同図では、精算装置３０−１、３０−２がそれぞれ「待機中」であり、精算装置３０−３が「使用中」である例が示されている。
プリンタ状態エリアＡＲ１２３においては、精算装置３０−１（「精算機１」）、精算装置３０−２（「精算機２」）、精算装置３０−３（「精算機３」）それぞれのプリンタ状態が示される。同図では、精算装置３０−１、３０−３が「正常」であり、精算装置３０−２が「レシートニアエンド」である例が示されている。
【００９７】
同図の精算指定拡大画面ＷＤ１においては、精算装置３０−１、３０−２、３０−３の情報を提示するにあたり、釣銭状態、精算処理状態、及びプリンタ状態としての情報項目ごとに振り分けるようにされた態様で提示されている。このような情報の提示の態様とすることで、店員は、釣銭状態、精算処理状態、及びプリンタ状態ごとに注目して、精算装置３０−１、３０−３の状態を把握しやすくなる。
【００９８】
なお、同図の例とは異なり、１つの精算指定拡大画面ＷＤ１において複数の精算装置３０についての詳細情報を提示するにあたり、釣銭状態、精算処理状態、及びプリンタ状態を、複数の精算装置３０ごとにまとめた態様としてもよい。同図の態様とするのか、あるいは釣銭状態、精算処理状態、及びプリンタ状態を、複数の精算装置３０ごとにまとめた態様とするのかについては、例えば登録装置２０に対する操作によって予め設定できるようにしてよい。
【００９９】
本変形例の精算指定拡大画面ＷＤ１は、例えば同図に示される内容が表示された状態のもとで小計操作が行われると、図７、図９、図１０等のように精算装置指定ボタンＢＴ１０を配置した態様に変更される。
あるいは、本変形例の精算指定拡大画面ＷＤ１は、小計操作が行われると、例えば同図に示される内容に加えて、さらに精算装置指定ボタンＢＴ１０が配置される態様に変更されてもよい。
あるいは、本変形例の精算指定拡大画面ＷＤ１は、表示が開始された段階から、釣銭状態エリアＡＲ１２１、精算処理状態エリアＡＲ１２２、及びプリンタ状態エリアＡＲ１２３等の詳細情報とともに、既に精算装置指定ボタンＢＴ１０が配置された態様であってもよい。そのうえで、精算装置指定ボタンＢＴ１０は、小計操作が行われるまでは非アクティブの状態で操作が不可なようにされてよい。そして、小計操作が行われると、精算装置指定ボタンＢＴ１０がアクティブ状態となって操作が可能な状態に変化するようにされてもよい。
【０１００】
［第３変形例］
精算指定拡大画面ＷＤ１において配置される精算装置指定ボタンＢＴ１０は、共通エリアＡＲ２０における精算装置指定ボタンＢＴ１よりも大きいサイズとなっている。このため、精算装置指定ボタンＢＴ１０に対応する領域に対してタッチ操作が行われることに応じたタッチパネルの劣化の度合いは、共通エリアＡＲ２０と比較して低い。しかしながら、さらに、精算指定拡大画面ＷＤ１の精算装置指定ボタンＢＴ１０に対する操作に応じたタッチパネルの劣化の進行が抑制できるようにすることについては、特に妨げられる理由はなく、好ましいことといえる。
【０１０１】
そこで、本変形例としては、精算指定拡大画面ＷＤ１に対して行われる精算装置指定操作としてのタッチパネルへのタッチ操作のターゲットとなる位置を、適宜変化させるように構成される。
【０１０２】
具体的に、本変形例においては、精算指定拡大画面ＷＤ１に配置される精算装置指定ボタンＢＴ１０において、「精算機１」、「精算機２」、「精算機３」等の文字の表示される位置を適宜変更するようにされてよい。店員が精算装置指定ボタンＢＴ１０に対して操作を行う場合には、無意識のうちに精算装置指定ボタンＢＴ１０の領域において文字が表示された位置をターゲットにしてタッチ操作を行う傾向にある。そこで、精算装置指定ボタンＢＴ１０において表示される文字の位置を適宜変更することにより、店員が或る１つの精算装置指定ボタンＢＴ１０を操作するにあたってタッチ操作を行う位置を分散させることが可能になる。
【０１０３】
また、本変形例として、精算装置指定ボタンＢＴ１０において、タッチ操作に際して指をタッチさせる位置を指示するターゲットマークを配置させたうえで、ターゲットマークの位置を精算装置指定ボタンＢＴ１０において適宜変更してよい。
【０１０４】
また、本変形例として、精算指定拡大画面ＷＤ１において精算装置指定ボタンＢＴ１０が配置される位置を適宜変更してよい。
また、本変形例として、店員用表示部２０５の画面全体において精算指定拡大画面ＷＤ１が配置される位置を適宜変更してよい。
【０１０５】
本変形例において、タッチ操作のターゲットとなる位置の変更は、例えば、１つの登録装置２０において、精算指定拡大画面ＷＤ１の表示を開始させるごとに行われるようにされてよい。あるいは、精算指定拡大画面ＷＤ１が表示中の状態において、一定時間が経過したタイミングでタッチ操作のターゲットとなる位置が変更されるようにしてもよい。
【０１０６】
［第４変形例］
先の各実施形態では、店員の操作に応じて商品登録処理を行う商品登録装置と、客の操作に応じて精算処理を実行する精算装置とを備えるＰＯＳシステム１を例に挙げた。
しかしながら、上記各実施形態のように、精算関連操作に対して登録装置２０にて行われた商品登録に対応する取引を対応付ける本実施形態の構成は、以下のようなＰＯＳシステムにも適用してよい。
即ち、上記各実施形態の構成は、店員が商品登録操作を行い、店員の対面にて客が精算に対応する操作を行うようにされたＰＯＳレジスタを複数備えるＰＯＳシステムにも適用されてよい。このようなＰＯＳシステムの場合には、商品登録が行われたＰＯＳレジスタから、他の複数のＰＯＳレジスタのうちのいずれかにて精算処理が実行されるように指示（精算指示情報の送信）が行われるようにされればよい。
また、上記各実施形態の構成は、店員が商品登録操作と精算に対応する操作とを行うようにされる第１会計モードと、店員が商品登録操作を行い、客が精算に対応する操作を行うようにされる第２会計モードと、客が商品登録操作と精算に対応する操作とを行うようにされる第３会計モードとで切り替えが可能なようにされたＰＯＳレジスタを複数備えるＰＯＳシステムにも適用できる。このようなＰＯＳシステムの場合には、例えば第１会計モードまたは第２会計モードのもとで店員の操作に応じて商品登録を行ったＰＯＳレジスタから、第２会計モードまたは第３会計モードの状態にある他のＰＯＳレジスタのうちのいずれかにて精算処理が実行されるように指示（精算指示情報の送信）が行われるようにされればよい。
【０１０７】
［第５変形例］
なお、上記実施形態において、複数の精算装置３０のうちから精算処理を実行させる精算装置３０を指定する態様としては、精算処理を実行させる精算装置３０を、店員が登録装置２０にて指定する態様（第１の指定態様）と、客に手渡しされるお会計券を登録装置２０から発行させ、店員から手渡しされたお会計券を、客が１つの精算装置３０に読み取らせる態様（第２の指定態様）とを挙げている。しかながら、精算装置３０を指定する態様としては、上記の態様に限定されない。例えば、以下の第３の指定態様から第７の指定態様のように精算装置３０が指定されてもよい。
【０１０８】
第３の指定態様として、商品登録の完了に応じて店員用表示部２０５に表示された送信ボタンに対して行われた操作に応じて（あるいは商品登録の完了を宣言するような操作であってもよい）、登録装置２０が、例えば精算装置３０に状態の問合せを行って精算処理が可能な（例えば、障害が発生しておらず、使用中でもない）精算装置３０を認識し、使用中でない精算装置３０のうちから所定の規則に従って、１つの精算装置３０を決定する。そして、登録装置２０は、決定した精算装置３０に精算情報を送信して精算処理の実行を指示する。
【０１０９】
第４の指定態様として、予め精算装置３０について精算処理の優先順位を設定しておくようにする。そのうえで、商品登録の完了に応じて、店員用表示部２０５に精算装置３０への精算情報の送信を指示する送信ボタンの操作が有効となるように表示する。送信ボタンが操作されたことに応じて、登録装置２０は、設定された優先順位に従った順で精算装置３０の精算処理が可能であるか否かを確認し、精算処理が可能であることが確認されなければ、優先順位が次の精算装置３０について確認するようにする。そのうえで、登録装置２０は、最初に精算処理が可能であることが確認された精算装置３０に精算情報を送信して精算処理の実行を指示する。
【０１１０】
なお、上記の第３の指定態様における所定規則に従った精算装置３０、あるいは第４の指定態様における精算装置３０の優先順位としては、例えば、精算装置３０に割り当てられた番号に基づいて決定されてよい。あるいは、登録装置２０から精算装置３０までの距離に基づいて決定されてよい。あるいは、合計金額に基づいて予測される釣銭の金種の内訳と精算装置３０の釣銭機に収納されている貨幣の金種ごとの枚数との関係に基づいて決定されてよい。
【０１１１】
第５の指定態様として、登録装置２０は、全ての精算装置３０に精算情報を送信する。精算情報を受信した精算装置３０は、自己が受信した精算情報に含まれる精算情報を利用して精算処理を実行可能な状態となると、自己が精算処理を実行することを通知する精算処理実行通知を精算情報の送信元の登録装置２０に送信する。
登録装置２０は、精算処理実行通知の受信に応じて、精算処理実行通知の送信先の精算装置３０を示す表示（精算処理実行表示）を行う。店員は、精算処理実行表示を見て、精算処理を実行する精算装置３０がいずれであるのかを客に伝えればよい。
この際、精算処理実行表示とともに、精算処理実行通知を送信した精算装置３０のサインポール３１１を所定のパターンで点灯させたり、精算装置３０から所定の報知音を出力させたりすることで、自己が精算処理を実行することを報知するようにしてよい。
【０１１２】
上記の第３〜第５の指定態様による精算装置３０の指定によれば、精算処理を実行させるべき精算装置３０をいずれとするのかを判断しなくともよい。
【０１１３】
第６の指定態様として、登録装置２０にて商品登録を終えた商品が容れられた買い物カゴを、店員が、精算装置３０ごとに対応して設置されたカゴ置き場のうちのいずれかに買い物カゴを移動させる。
カゴ置き場には、載置された買い物カゴを検出するセンサ（重量センサ、あるいは光センサ等）が備えられる。センサによりカゴ置き場買い物カゴが載置されたことが判定されると、対応の精算装置３０が要求を行って、登録装置２０から対応の精算情報を取得し、精算処理を実行するようにされる。
この場合にも、精算処理を実行することとなった精算装置３０が、サインポール３１１の点灯や報知音の出力などにより、自己が精算処理を実行することを報知するようにしてよい。
なお、載置された買い物カゴを検出するセンサに代えて、例えば店員に対応して人感センサや撮像装置を設けてよい。そして、登録装置２０は、人感センサの検出出力や撮像装置により撮像して得られた画像等に基づいて、店員の動きを判断し、判断された結果に基づいて、店員が精算装置３０ごとに対応して設置されたカゴ置き場のうちのいずれに買い物カゴを設置したのかを判定する。そして、判定されたカゴ置き場に対応する精算装置３０を、精算処理を実行すべき精算装置３０として決定するようにしてよい。
【０１１４】
第７の指定態様として、登録装置２０は、精算情報と、複数の精算装置３０間での転送順を設定した転送順情報とを含む精算指示情報を、或る１つの精算装置３０に送信する。転送順情報は、精算装置３０間で循環的に転送順を指定するものであってよい。
精算指示情報を受信した精算装置３０は、自己が精算処理を実行可能であれば、精算指示情報の送信元の登録装置２０に対して、精算処理実行通知を送信し、受信された精算指示情報に含まれる精算情報を利用して精算処理を実行する。
一方、精算指示情報を受信した精算装置３０は、自己が精算処理を実行不可である場合、受信された精算指示情報に含まれる転送順情報に従って、転送順が次の精算装置３０に対して、受信された精算指示情報を転送する。このようにして、精算装置３０間で精算指示情報が順次転送されるようにすることによっても、精算処理を実行させるべき精算装置３０の指定に相当する手順が実現される。
【０１１５】
上記の各指定態様において、精算処理を実行させる精算装置３０の決定に関する処理は、例えば管理装置１０などのように、登録装置２０及び精算装置３０以外の所定の装置が、登録装置２０による商品登録処理の終了に応じて実行するようにされてよい。登録装置２０及び精算装置３０以外の所定の装置としては、例えば精算装置３０の状態をモニタリングするために設けられた装置等であってもよい。
【０１１６】
なお、上述の登録装置２０、精算装置３０などとしての機能を実現するためのプログラムをコンピュータ読み取り可能な記録媒体に記録して、この記録媒体に記録されたプログラムをコンピュータシステムに読み込ませ、実行することにより上述の登録装置２０、精算装置３０などとしての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１１７】
＜実施形態の総括＞
（１）以上説明したように、本実施形態の一態様は、客の購入対象の商品を登録する商品登録処理を実行する登録装置（２０）と、前記商品登録処理に応じた商品登録情報に基づいて客の操作に応じて精算処理を実行する複数の精算装置（３０）とを有する商品販売データ処理システム（ＰＯＳシステム１）における登録装置であって、所定の操作が行われたことに応じて、前記精算処理を実行させる精算装置を指定する第１画像操作子（例えば、精算装置指定ボタンＢＴ１）より大きいサイズであって、前記精算処理を実行させる精算装置を指定する第２画像操作子（例えば、精算装置指定ボタンＢＴ１０）を表示させる制御部を備える登録装置である。
【０１１８】
上記構成によれば、精算装置指定操作が行われる画像操作子として、精算装置指定ボタンＢＴ１よりもサイズの大きい精算装置指定ボタンＢＴ１０を含む精算指定拡大画面ＷＤ１を所定操作に応じて表示させることができる。このように表示される精算装置指定ボタンＢＴ１０に対する操作が行えるようになることで、登録装置２０の画面に対して行われる精算装置指定操作についての操作性の向上が図られる。
【０１１９】
（２）本実施形態の一態様は、（１）に記載の登録装置であって、前記制御部は、前記第２画像操作子の表示を指示する操作が行われる操作子（例えば、拡大表示ボタンＢＴ２）が操作されたことに応じて、前記第２画像操作子を表示させる。
【０１２０】
上記構成によれば、店員が精算指定拡大画面ＷＤ１の表示の要否を判断して、店員の意思で、精算指定拡大画面ＷＤ１を表示させる、あるいは表示させないようにすることができる。
【０１２１】
（３）本実施形態の一態様は、（１）または（２）に記載の登録装置であって、前記制御部は、一取引に対応する商品登録処理の完了の宣言に対応する操作（例えば、小計操作）が行われたことに応じて、前記第２画像操作子を表示させる。
【０１２２】
上記構成によれば、店員が小計操作を行うことで、特に他の操作を行わなくとも、精算指定拡大画面ＷＤ１を表示させることが可能となる。
【０１２３】
（４）本実施形態の一態様は、（１）から（３）のいずれか１つに記載の登録装置であって、前記制御部は、登録装置にて決済処理が可能な決済種別ごとに対応して決済処理の実行を指示する操作が行われる第３画像操作子（例えば、決済指示ボタンＢＴ１１）を前記第２画像操作子とともに表示させる。
【０１２４】
上記構成によれば、精算装置指定ボタンＢＴ１０とともに、決済指示ボタンＢＴ１１が配置された画面を表示させることができる。店員は、精算にあたって客から指定された決済種別に応じて、精算装置指定ボタンＢＴ１０に対する操作と決済指示ボタンＢＴ１１とのいずれに対する操作も同じ画面上で行うことができる。
【０１２５】
（５）本実施形態の一態様は、（１）から（４）のいずれか１つに記載の登録装置であって、前記制御部は、表示された第２画像操作子を消去させるべきトリガが発生したことに応じて、前記第２画像操作子の表示を消去し、前記トリガのうちの所定のトリガの発生に応じて、前記第２画像操作子が表示される前の状態を表示させる処理と異なる所定の他の処理に遷移させる処理手段をさらに備える。
【０１２６】
上記構成によれば、例えば消去トリガとして、スキャナ部２０４によるコードの読み取り、会員カードの情報の読み取り、品券利用指定のための物理的なキーに対する操作等が行われたことに応じて、登録装置２０は、これまで表示されていた精算指定拡大画面ＷＤ１を消去するとともに、消去トリガに応じて実行すべき処理に遷移することができる。これにより、店員は、まず精算指定拡大画面ＷＤ１を消去する操作を行ってから、スキャナ部２０４によるコードの読み取り、会員カードの情報の読み取り、品券利用指定のための物理的なキーに対する操作等を行って処理を遷移させる必要が無い。つまり、精算指定拡大画面ＷＤ１を消去して、精算指定操作以外の他の操作に移行するにあたり、店員が行うべき操作が簡略化される。
【０１２７】
（６）本実施形態の一態様は、（１）から（５）のいずれか１つに記載の登録装置であって、前記制御部は、操作画面が提供する機能が変更可能な操作画面領域と異なる領域に配置され、前記操作画面領域における操作画面の機能の変更にかかわらず、提供する機能が変更されない共通領域（例えば、共通エリアＡＲ２０）に前記第１画像操作子を表示させる。
【０１２８】
上記構成によれば、精算装置指定ボタンＢＴ１０が配置された精算指定拡大画面ＷＤ１については店員の操作に応じて表示させる一方で、精算装置指定ボタンＢＴ１については共通エリアＡＲ２０において定常的に表示させておくことができる。これにより、店員は、状況によっては精算指定拡大画面ＷＤ１を表示させずに、共通エリアＡＲ２０にて配置される精算装置指定ボタンＢＴ１を操作することができる。つまり、店員は、臨機応変に精算装置指定ボタンＢＴ１と精算装置指定ボタンＢＴ１０とを使い分けるようにして、精算装置指定操作を行うことができる。
【０１２９】
（７）本実施形態の一態様は、客の購入対象の商品を登録する商品登録処理を実行する登録装置と、前記商品登録処理に応じた商品登録情報に基づいて客の操作に応じて精算処理を実行する複数の精算装置とを有する商品販売データ処理システムにおける登録装置としてのコンピュータを、所定の操作が行われたことに応じて、前記精算処理を実行させる精算装置を指定する第１画像操作子より大きいサイズであって、前記精算処理を実行させる精算装置を指定する第２画像操作子を表示させる制御部として機能させるためのプログラムである。
【符号の説明】
【０１３０】
１  ＰＯＳシステム、１０  管理装置、１１  ＬＡＮ、２０（２０−１、２０−２）  登録装置、３０（３０−１〜３０−３）  精算装置、２０１  ＣＰＵ、２０２  記憶部、２０３  ＲＡＭ、２０４  スキャナ部、２０５  店員用表示部、２０５ａ  客用表示部、２０６  操作部、２０７  通信部、２０８  ブザー、２０９  印刷部、２１０  カードリーダ、３０１  ＣＰＵ、３０２  記憶部、３０３  ＲＡＭ、３０４  スキャナ部、３０５  表示部、３０６  操作部、３０７  通信部、３０８  ブザー、３０９  印刷部、３１０  決済部、３１１  サインポール、３１２  人感知センサ、３１３  カードリーダ
【図１】
2020035076.tif 000003
【図２】
2020035076.tif 000004
【図３】
2020035076.tif 000005
【図４】
2020035076.tif 000006
【図５】
2020035076.tif 000007
【図６】
2020035076.tif 000008
【図７】
2020035076.tif 000009
【図８】
2020035076.tif 000010
【図９】
2020035076.tif 000011
【図１０】
2020035076.tif 000012
【図１１】
2020035076.tif 000013